(57)【要約】      （修正有）【課題】蓋部を容器部の後板より着脱自在に取外し出来るようにし、小物品を収納保存する場合以外では、蓋部を取外して、容器部の底板下面に装着出来るようにするフォールディングボックスを提供する。【解決手段】容器部Ａとそれに着脱自在にした蓋部Ｂとでなり、容器部は長方形状の底板１０と、その前後端に折目を介して起伏可能に形成された前板２０、及び後板３０と、底板には、固着されたのり代との境である折目で起伏可能にした２枚の側板４０とでなり、側板の両側端には、折目を介して形成された折返し部４３を形成し、折返し部に設けられた折返し折目４０１を境にした折返し部の端部側の三角形状部分を接合部４４とし、接合部が前板、及び後板の各々に固着されて組立てられ、前板、又は後板に、着脱自在の接合をさせる蓋部の前覆い板５２、並びに後覆い板５３が、蓋板の前後端に折目を介して形成される。【選択図】図１
2018020839.tif 000002
【特許請求の範囲】
【請求項１】
容器部と、それに着脱自在にした蓋部とでなり、容器部は、長方形状の底板と、その前後端に折目を介して起伏可能に形成される前板、及び後板と、前記底板の両側端には、固着されたのり代との境である折目で起伏可能にした２枚の側板とでなり、そして、該側板の両側端には、折目を介して形成された折返し部を形成し、該折返し部に設けられた折返し折目を境にした折返し部の端部側の三角形状部分を接合部とし、該接合部が前記前板、及び前記後板の各々に固着されて組立てられ、前記前板、又は前記後板に、着脱自在の接合をさせる蓋部の前覆い板、並びに後覆い板が、蓋板の前後端に折目を介して形成されたことを特徴とするフォールディングボックス。
【請求項２】
折目で起伏可能にした前板、後板、及び側板には、その該前板、該後板の両側端部、並びに、該側板の折目を介して形成された折返し部の折目側端部に、列設する少なくとも２個のマグネットが表面に顕出しないよう埋設され、前記前板、前記後板、及び前記側板を起すことによって、前記前板、及び前記後板のマグネットとそれに相対する前記側板の折返し部のマグネットとによる磁着で、これらが接合して箱形の容器部が形成され、蓋部の蓋板に設けられた折目を介して形成した前覆い板、及び後覆い板の両側端部には、容器部の前記前板、及び前記後板のマグネットと相対する位置に列設した少なくとも２個のマグネットが表面に顕出しないように埋設され、これらのマグネットの磁着によって、蓋部が容器部へ着脱自在に取付けられることを特徴とする請求項１記載のフォールディングボックス。
【発明の詳細な説明】
【技術分野】
【０００１】  本発明は、種々の小物品を収納する箱形状の容器であって、容易に素早く折畳んだり、組立てたりすることができ、しかも、小物品が収納し易く、また、収納された小物品を取出し易くする為に、蓋部が容器部より着脱できるフォールディングボックスに関するものである。
【背景技術】
【０００２】  従来から、小型のプレゼント用品、装飾品、玩具、部品、小道具、文房具、本、ＣＤ、ＤＶＤ等の小物品を収納する容器は、これら小物品を収納していない空の状態が場所を占め、また、空の状態の容器が搬送される際には嵩張り、空気を運ぶことになって、不都合であった。
そこで、容器が空の場合には折畳み、小物品を収納する際には組立てて収納できるようにしたフォールディングボックスは、一応あった。【０００３】  従来のフォールディングボックスは、容器となる前板、底板、及び後板と、蓋となる蓋板と覆い板とをそれぞれ折目を介して連接して長方形の一枚のシート状になし、前記底板に側板を起伏可能に固着し、該側板の両側には折目を介して折返し部を連接し、該折返し部に折返し折目を設け、該折返し折目を境にして前記折返し部の端部側を接合部とし、該接合部を前記前板、または前記後板に固着することを特徴とするものであって、よって、組立て、及び折畳みを容易に出来るようにする。
【先行技術文献】
【特許文献】
【０００４】
【特許文献１】  特開２０１２−５１６４５号公報
【発明の概要】
【発明が解決しようとする課題】
【０００５】  従来のフォールディングボックスは、容器となる前板、底板、及び後板と、蓋となる蓋板と、覆い板とをそれぞれ折目を介して連接したものであったので、組立てられた容器には、蓋板と覆い板とでなる蓋が出っ張ることになり、小物品を収納したり、取出すときに、蓋が邪魔になり、また、小物品が収納されたこれらを陳列するときには、やはり、蓋を周囲に干渉させることになり、作業し難い上、整然と並べられず、不都合であった。【０００６】  そこで、本発明は、蓋部を容器部の後板より着脱自在に取外し出来るようにし、小物品を収納保存する場合以外では、蓋部を取外して、容器部の底板下面に装着出来るようにするフォールディングボックスを提供することを目的とする。
【課題を解決するための手段】
【０００７】  本発明のフォールディングボックスは、容器部と、それに着脱自在にした蓋部とでなり、容器部は、長方形状の底板と、その前後端に折目を介して起伏可能に形成される前板、及び後板と、前記底板の両側端には、固着されたのり代との境である折目で起伏可能にした２枚の側板とでなり、そして、該側板の両側端には、折目を介して形成された折返し部を形成し、該折返し部に設けられた折返し折目を境にした折返し部の端部側の三角形状部分を接合部とし、該接合部が前記前板、及び前記後板の各々に固着されて組立てられ、前記前板、又は前記後板に、蓋部の蓋板の前後端に折目を介して形成された前覆い板、並びに後覆い板が着脱自在に接合されることを特徴とするものである。【０００８】  また、本発明のフォールディングボックスは、折目で起伏可能にした前板、後板、及び側板には、その該前板、該後板の両側端部、並びに、該側板の折目を介して形成された折返し部の折目側端部に、列設する少なくとも２個のマグネットが表面に顕出しないよう埋設され、前記前板、前記後板、及び前記側板を起すことによって、前記前板、及び前記後板のマグネットとそれに相対する前記側板の折返し部のマグネットとによる磁着で、これらが接合して箱形の容器部が形成され、蓋部の蓋板に設けられた折目を介して形成した前覆い板、及び後覆い板の両側端部には、容器部の前記前板、及び前記後板のマグネットと相対する位置に列設した少なくとも２個のマグネットが表面に顕出しないように埋設され、これらのマグネットの磁着によって、蓋部が容器部へ着脱自在に取付けられることを特徴とするものである。
【発明の効果】
【０００９】  本発明のフォールディングボックスは、蓋部が容器部の後板より着脱自在に取外し出来る為に、小物品等の収納、取出しを容易、且つ簡単に出来ることになり、また、小物品等の収納保存する場合以外では、蓋部を容器部より取外して、容器部の底板下面に装着することができるので、小物品を陳列する際に、蓋部が周囲に干渉して作業し難くすることなく、小物品等が収納された容器部を整然と陳列出来るので、綺麗に見栄えよくでき、陳列効果を上げることが出来る。
その上、小物品等を収納する容器部は、組立構造が単純であるので、設計し易く、組立てが簡単、且つ容易に出来、小物品等の収納されていない空の状態では、簡単、且つ容易に折畳むことが出来、保存及び搬送には好都合である。【００１０】  本発明のフォールディングボックスは、容器部の前板、及び後板の両側端部、そして側板の折返し部の折目側端部、更には、蓋部の前覆い板、及び後覆い板の両側端部に少なくとも２個のマグネットが列設して表面に顕出しないように埋設されているので、これらによる磁着によって接合が確実、且つ正確に出来、容器部の箱形が崩れることなく、整然と形成され、しかも、簡単且つ容易に折畳むことが出来る。
更に、蓋部が、容器部との接合をマグネットによる磁着である為、その着脱を簡単、且つ容易に出来、作業がし易い。
【図面の簡単な説明】
【００１１】
【図１】  フォールディングボックスの折畳み状態の平面図である。
【図２】  フォールディングボックスの容器部の組立て中の斜視図である。
【図３】  フォールディングボックスの蓋部を組立てられた容器部に接合する為の仕様図である。
【図４】  フォールディングボックスの容器部の底板下面に蓋部を装着する仕様図である。
【図５】  フォールディングボックスの展開図である。
【発明を実施するための形態】
【００１２】  本発明のフォールディングボックスは、図１、図２、及び図３に示す如く、容器部Ａと、該容器部に着脱自在の接合がされる蓋部Ｂとでなる。
容器部Ａは、長方形状の底板１０と、その前後端に折目１１，１２を介して起伏可能に形成された前板２０、及び後板３０と、前記底板の両側端には、のり代４１によって固着された折目４０１で起伏可能にした２枚の側板４０とでなり、そして、該側板の両側端には、折目４２を介して形成された折返し部４３を形成し、該折返し部に設けられた折返し折目４０１を境にした折返し部の端部側の三角形状部分を接合部４４とし、該接合部が前記前板２０、及び前記後板３０の各々に固着されて組立てられる。
蓋部Ｂは、蓋板５０と、その蓋板５０の前後端に折目５１を介して形成された前覆い板５２、及び後覆い板５３とでなり、該前覆い板５２、並びに後覆い板５３が容器部Ａの前板２０、又は後板３０に着脱自在に接合されるものである。
【００１３】  本発明のフォールディングボックスは、図５に示す如く、長方形状の底板１０に、前板２０、及び後板３０が折目１１，１２を介して起伏可能に形成された容器本体部材１と、該容器本体部材の底板１０に、起伏可能にする折目４１０を介して形成したのり代４１で固着された側板４０が、その側板４０の両側に折目４２を介して折返し部４３を形成し、該折返し部には、折返し折目４０１を設け、該折返し折目を境にして前記折返し部４３の端部側の三角形状部分を前記容器本体部材１の前板２０、及び後板３０に固着させる接合部４４とした側板部材４とでなり、蓋部５が、蓋板５０と、折目５１を介して形成する前覆い板５２と後覆い板５３とでなる蓋部材５である。
尚、折目１１，１２，４１０、４２、５１、及び折返し折目４０１は、折返し溝を刻設などして折り曲げ易くしている。
【００１４】  本発明のフォールディングボックスは、折目１１，１２で起伏可能にした前板２０、後板３０、及び側板４０には、その前板、及び該後板の両側端部、並びに該側板の折目４２を介して形成された折返し部４３の折目４２側端部に列設した少なくとも２個のマグネット２５，３５，４５が表面に顕出しないよう埋設され、前記前板２０、前記後板３０、及び側板４０が起されることによって、前記前板２０、及び前記後板３０のマグネット２５，３５と、それに相対する前記側板４０の折返し部４３のマグネット４５とによる磁着で接合して箱形の容器部Ａが形成され、また、蓋部Ｂの蓋板５０に折目５１を介して形成した前覆い板５２、及び後覆い板５３の両側端部には、容器部Ａの前記前板２０、及び前記後板３０のマグネット２５，３５と相対する位置に列設した少なくとも２個のマグネット５５が表面に顕出しないように埋設され、これらのマグネット２５、３５、５５の磁着によって、蓋部Ｂが容器部Ａへ着脱自在に取付けられるものである。
【００１５】  本発明のフォールディングボックスは、容器部Ａを組立てるには、底板１０に折目１１，１２，４１０での折曲げによる前板２０、後板３０、及び側板４０を起し、そして、折返し折目４０１の折返し部４３の折返し戻りの伸びによって達成される。
そして、前板２０、後板３０の両側端部、並びに側板４０の折目４２を介して形成された折返し部４３の折目４２側端部に列設したマグネット２５，３５，４５の磁着で確実の組立接合ができる。
また、容器部Ａを折畳むには、前板２０、後板３０が折目１１，１２による折り曲げを戻し、側板４０が折目４１０による折返し、そして、折返し部４３の折返し折目４０１による折返しによって、簡単、且つ容易に達成できる。
蓋部Ｂを容器部Ａへ着脱自在に取付けるには、蓋部Ｂにおける蓋板５０と、折目５１を介して形成された前覆い板５２、又は後覆い板５３のいずれかを、容器部Ａの前板２０または後板３０のいずれかに、その各々に埋設されたマグネット５５によって着脱自在の接合がされる。
【００１６】  小物品を収納したり、取出すときに、蓋部Ｂが邪魔になり、また、小物品を収納して陳列するときに、蓋部Ｂを周囲に干渉させて作業し難くする場合には、図４に示す如く、蓋部Ｂを容器部Ａより取外して、容器部Ａの底板１０下面に装着し、容器部Ａの前板２０及び後板３０に埋設されたマグネット２５，３５と相対する蓋部Ｂの前覆い板５２、及び後覆い板５３のマグネット５５の磁着で相互が接合して落下することのない接合が出来ることになる。
【符号の説明】
【００１７】  Ａ        容器部
Ｂ        蓋部
１        容器本体部材
１０      底板
１１      折目
１２      折目
２０      前板
２５      マグネット
３０      後板
３５      マグネット
４        側板部材
４０      側板
４０１    折返し折目
４１      のり代
４１０    折目
４２      折目
４３      折返し部
４４      接合部
４５      マグネット
５        蓋部材
５０      蓋板
５１      折目
５２      前覆い板
５３      後覆い板
５５      マグネット
【図１】
2018020839.tif 000003
【図２】
2018020839.tif 000004
【図３】
2018020839.tif 000005
【図４】
2018020839.tif 000006
【図５】
2018020839.tif 000007